(57)【要約】【課題】  リードの牽引によるリードとリード連結用Ｄ環の圧迫で身ごろやフードの接触部分が破損しないようにしたサイズ調整可能な犬用レインコートを提供する。【解決手段】  身ごろは平面形状にし、リードの牽引による首輪とハーネスのリード連結用Ｄ環の揺動に対応できるように上部に十分な開口部を作る。フードも平面形状にし、その下部の両端のみを身ごろの開口部の上部左右に隣接する位置に取り外し可能な方法で付着させる。これにより十分な揺動スペースができ、リードやリード連結用Ｄ環が身ごろやフードと接触する部分を圧迫せず破損するのを防ぐことができる。また開口部が濡れないように取り外し可能な襟を付ける。さらに身ごろやフードのベルトをバックルのアジャスターで調節したり、身ごろや胴ベルトの複数のホックの係合する位置を選択することにより、また身ごろや胴ベルトの長さをカットできるようにしてサイズ調整を可能にした。【選択図】図１
0003146651.tif 000002
【実用新案登録請求の範囲】
【請求項１】
首輪およびハーネスのリード連結用Ｄ環がリードの牽引に合わせて自在に揺動可能なように身ごろの上部に十分な開口部を作ったことを特徴とする犬用レインコート。
【請求項２】
首輪のリード連結用Ｄ環が自在に揺動可能なようにフードの下部の両端のみを身ごろにホック等で留め、取り外し可能にしたことを特徴とする請求項１記載の犬用レインコート。
【請求項３】
身ごろ上部の開口部が濡れるのを防ぐため、首にフィットするようにダーツを付け、上部左右をホック等で身ごろに留めるようにした取り外し可能な襟をもつことを特徴とする請求項１および２記載の犬用レインコート。
【考案の詳細な説明】
【技術分野】
【０００１】  本考案は、リードの牽引によって首輪やハーネスに付いたリード連結用Ｄ環が揺動し、リードおよびリード連結用Ｄ環と接触するフードや身ごろの部分が圧迫されて破損しないようにした、また耳、尾、手足を抑えず、サイズを調節できる犬用レインコートに関する。
【背景技術】
【０００２】  従来、犬用レインコートには、登録実用新案第３１０２３１３号のように、平面的なフードと身ごろを一体化し、耳、尾、手足を抑えず、サイズを調節できるものがあった。
【考案の開示】
【考案が解決しようとする課題】
【０００３】  以上に述べた従来の犬用レインコートは、サイズが調節可能で耳、尾、手足を抑えない形状だが、リード連結用Ｄ環の揺動が考慮されていなかった。そのためリードの牽引に合わせてリード連結用Ｄ環が自在に揺動できず、リードおよびリード連結用Ｄ環と接触する身ごろやフードを圧迫して、それらの部分が破損しやすかった。またフードとフードのベルトにはホックが複数付けられているが、犬の多様な体型に対応しづらい。さらに身ごろの上部左右に紐をつけ首の前部分で結ぶようになっているが、ほどけ易すく面倒であった。【０００４】  本考案は、このような従来の構成が有していた問題を解決しようとするものであり、なおかつ扱いが簡単で、サイズを調節できる安価な犬用レインコートを実現することを目的とする。
【課題を解決するための手段】
【０００５】  身ごろは平面形状にし、リードの牽引による首輪とハーネスの両方のリード連結用Ｄ環の揺動に対応できるように上部に十分な開口部を作る。フードも平面形状にし、その下部の両端のみを身ごろの開口部の上部左右に隣接する位置にホック等で付着させる。また、開口部が濡れないように襟を付ける。さらにフードの左右と身ごろの上部左右にベルトを取り付け、アジャスターを有するバックルで係合させる。
【考案の効果】
【０００６】  身ごろの上部に十分な開口部を作ることによって、またフードの下部の両端のみを身ごろにホック等で留めることにより、首輪やハーネスに付けられたリード連結用Ｄ環がリードの牽引によって上下左右に揺動しても、可動スペースが十分あり、リードやリード連結用Ｄ環が身ごろやフードとの接触部分を圧迫せず破損が生ずることを防ぐことができる。【０００７】  さらに開口部分に襟を付けることによって、濡れないようにすることができる。またフードの左右および身ごろの上部左右にベルトを付けアジャスターを有するバックルで係合することによってサイズを調節することができ、かつ扱いを容易にすることができる。また胴ベルトや身ごろの長さを十分にとり、必要があればカットすることができるようにしたり、胴ベルトや身ごろにホックを複数付けてサイズ調節を可能にすることによって、様々な犬の体型に合わせて数多くのサイズの犬用レインコートを作る必要がなく、形もシンプルにすることによってコストを抑えることができる。
【考案を実施するための最良の形態】
【０００８】  以下、図面を参考にして本考案の好ましい実施の形態を説明する。本考案に係る犬用レインコートは、身ごろ１、フード２、襟３、胴ベルト４からなり、それぞれ取り外し可能な方法で付着させている。全ての部位は同じ塩化ビニール等の防水性が高く、カットしても切断部を始末する必要のない生地を使用する。ただし、フードのつばは周りが見えるように透明な塩化ビニール等を使用する。【０００９】  身ごろ１の上部には、首輪およびハーネスのリード連結用Ｄ環がリードの牽引によって上下左右に自在に揺動できるように、半楕円形の開口部１ａを作る。身ごろの幅は下部をやや小さめにして、犬がしゃがんだりするとき、また足の短い犬が着用したとき、裾が地面に付かないようにする。【００１０】  身ごろ１の裾は、二重にしたりテープを付着させたりして段１ｂを作り、犬の体型に合わせて必要があれば段１ｂの下をカットできるようにする。胴ベルト４を取り付ける左右の身ごろの部分には複数の下前ホック６ｂを付ける。これにより犬の胴の長さに合わせて、胴ベルト４の付着位置を選択できる。【００１１】  開口部１ａの上部左右に隣接する身ごろの部分に、それぞれアジャスターを有する差込用バックル付きベルト５ａと受け用バックル付きベルト５ｂを取り付ける。さらにその下にフード２の下部両端を取り付ける下前ホック７ｂを付け、また襟３の上部両端を取り付ける下前ホック８ｂを付ける。【００１２】  フード２は長方形の生地にダーツ２ａを数箇所付け、犬の頭の形に沿うようにする。先端は透明の塩化ビニール等のつば２ｂを付ける。またフード２の左右にアジャスターを有する差込用バックル付きベルト６ａと受け用バックル付きベルト６ｂを、さらにフード２の下部両端には身ごろに付着させるための上前ホック７ａをそれぞれ付ける。【００１３】  襟３はフード２と同様に、犬の首の形に沿うように複数のダーツ３ａを付ける。また上部左右両端に上前ホック８ａを付ける。襟３は丸みをもたせた形にする。【００１４】  見ごろ１の胴体部分に付ける胴ベルト４は、サイズを調節できるように十分な長さにし、複数の上前ホック６ａを何列か付ける。また列と列の間に必要があればカットできるように始末が不要な筋を付ける。【００１５】  本考案の犬用レインコートを犬に着用させる場合は、身ごろ１を犬の胴体に載せ、胴ベルト４の左右の上前ホック４ａを身ごろ１の左右の下前ホック４ｂに係合して留め、また犬の首の前部分で身ごろ１の上部左右に付けられた差込用バックル付きベルト５ａおよび受け用バックル付きベルト５ｂのバックルを係合して留める。【００１６】  さらにフード２の下部両端に付けられた左右の上前ホック７ａを身ごろ１の上部左右の下前ホック７ｂに係合して留める。また襟３の上部左右に付けられた上前ホック８ａを身ごろ１の上部左右の下前ホック８ｂに係合して留める。リードをハーネスのリード連結用Ｄ環に取り付けた場合は、襟３を折り曲げてもよい。【００１７】  また本考案の犬用レインコートを脱がせるときは、胴ベルト４の左右どちらか一方の上前ホック４ａを外し、身ごろ１の上部左右またフード２の左右に付いた差込用バックル付きベルト５ａ、６ａと受け用バックル付きベルト５ｂ、６ｂを外せばよ���。後始末をするときは身ごろ１、フード２、襟３、ベルト４に分離して洗ったり、拭いたりすることができる。【００１８】  本考案の犬用レインコートは、リードの牽引によってリードやリード連結用Ｄ環と接するフードや身ごろの部分が圧迫されて破損するのを防ぎ、リードを付けた状態で着用することができる。またシンプルな平面形状で扱いが簡単である。身ごろや胴ベルトの長さをカットでき、またホックやバックルのアジャスターによってサイズを調節することができる。
サイズを調節できることで、小型、中型、大型の３パターンの犬用レインコートで様々な体型の犬に対応可能となり、またシンプルな形状にしたことによって、コストを抑えることができるため安価な犬用レインコートを提供することができる。
【図面の簡単な説明】
【００１９】
【図１】本考案に係る犬用レインコートの身ごろの展開状態での平面図である。
【図２】本考案に係る犬用レインコートのフードおよび襟の展開状態での平面図である。
【図３】本考案に係る犬用レインコートの着用状況を示す斜視図である。
【符号の説明】
【００２０】１身ごろ
１ａ開口部
１ｂ段
２フード
２ａダーツ
２ｂつば
３襟
３ａダーツ
４胴ベルト
４ａ上前ホック
４ｂ下前ホック
５ａ差込用バックル付きベルト
５ｂ受け用バックル付きベルト
６ａ差込用バックル付きベルト
６ｂ受け用バックル付きベルト
７ａ上前ホック
７ｂ下前ホック
８ａ上前ホック
８ｂ下前ホック
【図１】
0003146651.tif 000003
【図２】
0003146651.tif 000004
【図３】
0003146651.tif 000005
【手続補正書】
【提出日】平成20年8月21日(2008.8.21)
【手続補正１】
【補正対象書類名】実用新案登録請求の範囲
【補正対象項目名】全文
【補正方法】変更
【補正の内容】
【実用新案登録請求の範囲】
【請求項１】
首輪およびハーネスのリード連結用Ｄ環がリードの牽引に合わせて自在に揺動可能なように身ごろの上部に十分な開口部を作ったことを特徴とする犬用レインコート。
【請求項２】
首輪のリード連結用Ｄ環が自在に揺動可能なようにフードの下部の両端のみを身ごろにホック等で留め、取り外し可能にしたことを特徴とする請求項１記載の犬用レインコート。
【請求項３】
身ごろ上部の開口部が濡れるのを防ぐため、首にフィットするようにダーツを付け、上部左右をホック等で身ごろに留めるようにした取り外し可能な襟をもつことを特徴とする請求項１〜２いずれか１項に記載の犬用レインコート。